(57)【要約】【課題】  アンテナ、電話及びＬＡＮの３種類の引込み側接続端子と可搬型テレビジョン受像機に備わっている３種類の機器側接続端子とを種類ごとに接続する作業を、誰にでも容易に行うことができるようにする。【解決手段】  居住区Ｒ１〜Ｒ４に設置されているアンテナ、電話及びＬＡＮの３種類の引込み側接続端子１５〜１７と、可搬型テレビジョン受像機２０に備わっている３種類の機器側接続端子２１〜２３と、各引込み側接続端子と各機器側接続端子とを種類ごとに各別に接続している３種類の線路３１〜とを有する。３種類の線路３１〜３３をまとめることによって構成された１本のケーブル４０を引込み側ケーブル４１と機器側ケーブル４５とに２分割し、引込み側ケーブル４１と機器側ケーブル４５とを、一方側コネクタ要素５１とその相手方である他方側コネクタ要素５５とによって接続分断可能としてある。【選択図】        図１
2009005034.tif 000002
【特許請求の範囲】
【請求項１】
住宅の居住区に導入されているアンテナ、電話及びＬＡＮの３種類の引込み信号線が種類ごとに各別に接続されている上記３種類の引込み側接続端子と、
可搬型テレビジョン受像機に備わっている上記３種類の機器側接続端子と、
３種類の上記引込み側接続端子と３種類の上記機器側接続端子とを種類ごとに各別に接続している３種類の線路と、を有する可搬型テレビジョン受像機の信号線接続システムにおいて、
３種類の上記線路をまとめることによって構成された１本のケーブルが引込み側ケーブルと機器側ケーブルとに２分割されていて、引込み側ケーブルと機器側ケーブルのそれぞれの分割端に、互いに着脱されることにより３種類の上記線路の接続分断を行うコネクタの一方側コネクタ要素とその相手方である他方側コネクタ要素とが各別に具備されていることを特徴とする可搬型テレビジョン受像機の信号線接続システム。
【請求項２】
住宅の複数の居住区のそれぞれに３種類の上記引込み側端子が配備され、かつ、上記引込み側ケーブルがそれら複数の居住区のそれぞれに設置されていると共に、各居住区では、上記引込み側ケーブルに含まれている３種類の上記線路が、３種類の上記引込み側接続端子に種類ごとに各別に接続されている請求項１に記載した可搬型テレビジョン受像機の信号線接続システム。
【請求項３】
３種類の上記引込み側接続端子がそれらに共通の１個の信号線ボックスに装備されてユニット化されている請求項１又は請求項２に記載した可搬型テレビジョン受像機の信号線接続システム。
【請求項４】
アンテナ、電話及びＬＡＮの３種類の信号を重畳させる１本の同軸ケーブルが住宅の複数の居住区のそれぞれに導入されていて、可搬型テレビジョン受像機に上記同軸ケーブルに対して着脱可能な専用端子が具備されていると共に、重畳された３種類の上記信号の分離回路が上記可搬型テレビジョン受像機に設けられていることを特徴とする可搬型テレビジョン受像機の信号線接続システム。
【請求項５】
アンテナ、電話及びＬＡＮの３種類の信号を重畳させる１本の同軸ケーブルが住宅の複数の居住区のそれぞれに導入されていて、それらの同軸ケーブルのそれぞれに、重畳された３種類の上記信号を分離して出力する引込み側コネクタ要素が装備されていると共に、可搬型テレビジョン受像機に上記引込み側コネクタ要素に着脱される機器側コネクタ要素が具備されていることを特徴とする可搬型テレビジョン受像機の信号線接続システム。
【発明の詳細な説明】
【技術分野】
【０００１】
本発明は、可搬型テレビジョン受像機の信号線接続システム、特に、可搬型のデジタルテレビジョン受像機を住宅の複数の居住区に持ち運んで使用する場合に有益な可搬型テレビジョン受像機の信号線接続システムに関する。
【背景技術】
【０００２】
近時、地上波デジタル、ＢＳ（Ｂｒｏａｄｃａｓｔｉｎｇ  Ｓａｔｅｌｌｉｔｅ）、ＣＳ（Ｃｏｍｍｕｎｉｃａｔｉｏｎ  Ｓａｔｅｌｌｉｔｅ）、アナログといったアンテナを利用する放送を楽しむことができるほか、電話線やＬＡＮ（Ｌｏｃａｌ  Ａｒｅａ  Ｎｅｔｗｏｒｋ）ケーブルを利用して通信を試みることのできる可搬型テレビジョン受像機が普及し始めている。このような放送・通信における可搬型テレビジョン受像機の住宅の居住区内での信号線接続システムの従来例を図５に示してある。
【０００３】
図５において、１１，１２，１３は３個の異種の引込み側接続端子である。具体的にはアンテナ用の引込み信号線が接続されている引込み側接続端子を符号１１で示し、電話用の引込み信号線が接続されている引込み側接続端子を符号１２で示し、ＬＡＮ用の引込み信号線が接続されている引込み側接続端子を符号１３で示してある。また、２０はデジタル方式対応のテレビジョン受像機（以下「テレビジョン受像機」という）であり、その背面に３個の異種の機器側接続端子２１，２２，２３が装備されている。具体的には、アンテナ用の機器接続端子を符号２１で示し、電話用の機器側接続端子を符号２２で示し、ＬＡＮ用の機器側接続端子を符号２３で示してある。
【０００４】
このように居住区に３種類の引込み側接続端子１１，１２，１３が設置され、テレビジョン受像機に３種類の機器側接続端子２１，２２，２３が装備されている場合、テレビジョン受像機で放送・通信を楽しむためには、３種類の引込み側接続端子１１，１２，１３と３種類の機器側接続端子２１，２２，２３とを３種類の線路（ケーブル類）３１，３２，３３を用いて種類ごとに接続する必要がある。
【０００５】
そこで、従来は、３種類の引込み側接続端子１１，１２，１３と３種類の機器側接続端子２１，２２，２３とを種類ごとに接続する作業を、一般消費者であるユーザが３種類の個別のケーブルによって構成される線路３１，３２，３３を用いて行う必要があった。
【０００６】
一方、小型チューナにアンテナ用同軸ケーブルを接続するためのアンテナコネクタが公知である（たとえば、特許文献１参照）。また、同軸ケーブルを任意の長さに調整することのできるテレビ共同受信機器も公知である（たとえば、特許文献２参照）。さらに、２個の電話モジュラジャックとテレビアンテナコネクタとを備えた情報コンセントを建物の複数箇所に設置してなる情報配線設備についても公知である（たとえば、特許文献３参照）。
【特許文献１】特開平５−１４４５２６号公報
【特許文献２】特開２００６−３２０２４号公報
【特許文献３】特開平９−１５３９２６号公報
【発明の開示】
【発明が解決しようとする課題】
【０００７】
しかしながら、図５を参照して説明した従来例では、ユーザが３種類の個別のケーブルでなる線路３１，３２，３３を用いて３種類の引込み側接続端子１１，１２，１３と３種類の機器側接続端子２１，２２，２３とを種類ごとに接続する作業を行うことが必要であるために、その接続作業が煩雑で煩わしいだけでなく、そのような作業についての知識のない高齢者や子供にとっては、その作業を行うこと自体が困難であったり不可能であったりする。また、接続できたとしても、居住区に線路３１，３２，３３を構成している３本のケーブルが乱雑に引き廻されてしまうことが多い。これらの事情から、３種類の引込み側接続端子１１，１２，１３が住宅の複数の居住区に設置されていて、可搬型の１台のテレビジョン受像機をそれらの複数の居住区で持ち運んで使用する場合には、その都度上記したような煩雑な接続作業を行う必要があるために、実際的には高齢者や子供にとっては自分自身だけではその作業を行うことができないという不都合が起こりやすかった。また、仮にその接続作業を行えたとしても、居住区に３本のケーブルが引き廻されてしまってその居住区が乱雑になりやすいという問題もあった。
【０００８】
本発明は、以上の事情や問題に鑑みてなされたものであり、３種類の引込み側接続端子と３種類の機器側接続端子とを種類ごとに接続する作業が誰にでも容易に行うことのできる可搬型テレビジョン受像機の信号線接続システムを提供することを目的とする。
【課題を解決するための手段】
【０００９】
本発明に係る可搬型テレビジョン受像機の信号線接続システムは、住宅の居住区に導入されているアンテナ、電話及びＬＡＮの３種類の引込み信号線が種類ごとに各別に接続されている上記３種類の引込み側接続端子と、可搬型テレビジョン受像機に備わっている上記３種類の機器側接続端子と、３種類の上記引込み側接続端子と３種類の上記機器側接続端子とを種類ごとに各別に接続している３種類の線路と、を有している。そして、３種類の上記線路をまとめることによって構成された１本のケーブルが引込み側ケーブルと機器側ケーブルとに２分割されていて、引込み側ケーブルと機器側ケーブルのそれぞれの分割端に、互いに着脱されることにより３種類の上記線路の接続分断を行うコネクタの一方側コネクタ要素とその相手方である他方側コネクタ要素とが各別に具備されている。
【００１０】
この構成であると、１つの一方側コネクタ要素と他の１つの他方側コネクタ要素とを装着するだけで３種類の引込み側接続端子と３種類の機器側接続端子とが３種類の線路によって種類ごとに各別に接続されるために、３種類ずつの引込み側接続端子と機器側接続端子とを接続する作業が容易になる。
【００１１】
本発明では、住宅の複数の居住区のそれぞれに３種類の上記引込み側端子が配備され、かつ、上記引込み側ケーブルがそれら複数の居住区のそれぞれに設置されていると共に、各居住区では、上記引込み側ケーブルに含まれている３種類の上記線路が、３種類の上記引込み側接続端子に種類ごとに各別に接続されているという構成を採用することが可能である。この構成であると、可搬型テレビジョン受像機をユーザが複数の居住区の間で持ち運んでも、それぞれの居住区で３種類ずつの引込み側接続端子と機器側接続端子とを容易に接続することが可能になる。そのため、ユーザはどの居住区においても可搬型テレビジョン受像機を使用することが容易に可能になる。
【００１２】
本発明では、３種類の上記引込み側接続端子がそれらに共通の１個の信号線ボックスに装備されてユニット化されていることが望ましい。これによれば、居住区で引込み側ケーブルに含まれる３種類の線路を乱雑に引き廻すことなく、信号線ボックスの設置箇所でそれら３種類の線路を３種類の引込み側接続端子に種類ごとに整然と各別に接続しておくことが可能になる。
【００１３】
本発明に係る可搬型テレビジョン受像機の信号線接続システムは、アンテナ、電話及びＬＡＮの３種類の信号を重畳させる１本の同軸ケーブルが住宅の複数の居住区のそれぞれに導入されていて、可搬型テレビジョン受像機に上記同軸ケーブルに対して着脱可能な専用端子が具備されていると共に、重畳された３種類の上記信号の分離回路が上記可搬型テレビジョン受像機に設けられているものであってもよい。これによると、１つの居住区に１本の同軸ケーブルが導入されているだけであるので、その同軸ケーブルを可搬型テレビジョン受像機の専用端子に接続するだけでその可搬型テレビジョン受像機を使用することが容易に可能になる。
【００１４】
本発明に係る可搬型テレビジョン受像機の信号線接続システムは、アンテナ、電話及びＬＡＮの３種類の信号を重畳させる１本の同軸ケーブルが住宅の複数の居住区のそれぞれに導入されていて、それらの同軸ケーブルのそれぞれに、重畳された３種類の上記信号を分離して出力する引込み側コネクタ要素が装備されていると共に、可搬型テレビジョン受像機に上記引込み側コネクタ要素に着脱される機器側コネクタ要素が具備されているものであってもよい。これによっても、１つの居住区に１本の同軸ケーブルが導入されているだけであるので、その同軸ケーブルを可搬型テレビジョン受像機の専用端子に接続するだけでその可搬型テレビジョン受像機を使用することが容易に可能になる。
【発明の効果】
【００１５】
本発明に係る可搬型テレビジョン受像機の信号線接続システムによれば、３種類の引込み側接続端子と３種類の機器側接続端子とを種類ごとに接続する作業が誰にでも容易に行うことのできるようになるので、１台の可搬型テレビジョン受像機を複数の居住区の間で持ち運んで使用する場合に特に好適に使用することができるようになるという効果が奏される。このため、ユーザは、テレビジョン受像機を住宅のどの居住区であっても自由に持ち運んで楽しむことができるようになる。
【発明を実施するための最良の形態】
【００１６】
図１は本発明に係る可搬型テレビジョン受像機の信号線接続システムの使用例を示した説明図であり、図２はその一部の説明図である。
【００１７】
図１において、Ｒ１，Ｒ２，Ｒ３，Ｒ４はそれぞれ住宅の異なる居住区を示している。それぞれの居住区Ｒ１〜Ｒ４のそれぞれには、アンテナ、電話及びＬＡＮの３種類の引込み信号線が導入されていて、それらの各引込み信号線が３種類の引込み側接続端子、具体的には、アンテナ用の引込み側接続端子１５と電話用の引込み側接続端子１６とＬＡＮ用の引込み側接続端子１７に種類ごとに各別に接続されている。図例の３種類の引込み側接続端子１５，１６，１７は、それらに共通の１個の信号線ボックス１０に装備されてユニット化されている。そのため、同一の居住区Ｒ１〜Ｒ４のそれぞれに設置されている３種類の引込み側接続端子１５，１６，１７は近隣箇所に位置していて、それらに対しては居住区の一箇所で線路の接続作業を行うことができる。
【００１８】
図１及び図２に示したテレビジョン受像機は、デジタル方式対応の可搬型テレビジョン受像機（以下「テレビジョン受像機」という）であり、このテレビジョン受像機２０の背面には３個の異種の機器側接続端子、具体的には、アンテナ用の機器接続端子２１と、電話用の機器側接続端子２２と、ＬＡＮ用の機器側接続端子２３が装備されている。
【００１９】
いずれかの居住区に設置されている３種類の引込み側接続端子１５，１６，１７にテレビジョン受像機２０の３種類の機器側接続端子２１，２２，２３を接続してそのテレビジョン受像機を使用するためには、３種類の引込み側接続端子１５，１６，１７と３種類の機器側接続端子２１，２２，２３とを３種類の線路によって種類ごとに各別に接続する必要がある。しかしながら、図５を参照して説明した３種類の個別のケーブルでなる線路３１，３２，３３を用いてそのような接続作業を行うことは、高齢者や子供といった接続のための知識を持たない者にとっては困難であることに加え、たとえ接続作業を行えたとしても、線路３１，３２，３３を形成しているケーブルが乱雑に居住区に引き廻されることになって好ましくない。
【００２０】
そこで、この実施形態では、図１又は図２に示したように、３種類の線路３１，３２，３３（図５参照）をまとめることによって構成された１本のケーブル４０を引込み側ケーブル４１と機器側ケーブル４５とに２分割し、それらの引込み側ケーブル４１と機器側ケーブル４５のそれぞれの分割端同士をコネクタ５０の作用によって接続したり分断したりすることができるようにしてある。この実施形態では、コネクタ５０を、引込み側ケーブル４１の分割端に設けた一方側コネクタ要素５１と機器側ケーブル４５の分割端に設けられた他方側コネクタ要素５５とによって構成してある。したがって、一方側コネクタ要素５１と他方側コネクタ要素５５とを互いに装着すると、引込み側ケーブル４１に含まれる３種類の上記線路３１，３２，３３と機器側ケーブル４５に含まれる３種類の上記線路３１，３２，３３とが種類ごとに各別に接続され、その結果、３種類の引込み側接続端子１５，１６，１７と３種類の機器側接続端子２１，２２，２３とが種類ごとに各別に接続されてテレビジョン受像機を使用することができるようになる。また、一方側コネクタ要素５１と他方側コネクタ要素５５とを離脱させると、引込み側ケーブル４１に含まれる３種類の上記線路３１，３２，３３と機器側ケーブル４５に含まれる３種類の上記線路３１，３２，３３とが分断され、その結果、３種類の引込み側接続端子１５，１６，１７と３種類の機器側接続端子２１，２２，２３とが分断される。そのため、テレビジョン受像機２０を他の居住区に持ち運ぶことができるようになる。なお、この実施形態で用いられているコネクタ５０の一方側コネクタ要素５１と他方側コネクタ要素５５とは、抜き差しすることによって互いに着脱される構造を備えているけれども、このコネクタ５０の着脱方式は抜差し方式に限定されない。
【００２１】
以上説明した実施形態では、３種類の引込み側接続端子１５，１６，１７をそれらに共通の信号線ボックス１０に装備することによってユニット化してある。そのため、同一の居住区Ｒ１〜Ｒ４のそれぞれに設置されている３種類の引込み側接続端子１５，１６，１７は近隣箇所に位置していて、それらに対しては居住区の一箇所で線路の接続作業を行うことができるようになるという利点がある。また、それぞれの居住区Ｒ１〜Ｒ４のそれぞれに設置されいている３種類の引込み側接続端子１５，１６，１７には、引込み側ケーブル４１に含まれる線路３１，３２，３３を常時接続しておくことが基本である。したがって、それぞれの居住区Ｒ１〜Ｒ４のいずれかに持ち運んだテレビジョン受像機２０にあっては、その機器側接続端子２１，２２，２３に接続されている機器側ケーブル４５の他方側コネクタ要素５５を引込み側ケーブル４１の一方側コネクタ要素５１に装着するだけでユーザは即座にテレビジョン受像機２０を使用することができるようになる。
【００２２】
図３は他の実施形態に係る可搬型テレビジョン受像機の信号線接続システムを示している。この実施形態では、アンテナ、電話及びＬＡＮの３種類の信号を重畳させる１本の同軸ケーブル６０が住宅の居住区に導入されている。これに対し、テレビジョン受像機２０には、上記同軸ケーブル６０に対して着脱可能な専用端子７０が具備されていることに加え、重畳された３種類の上記信号の分離回路７１がそのテレビジョン受像機２０に設けられている。
【００２３】
図３を参照して説明した信号線接続システムにおいて、居住区に設置されている同軸ケーブル６０は、その居住区に常時設置されていることが基本である。したがって、複数の居住区に同軸ケーブル６０を設置しておくと、いずれかの居住区に持ち運んだテレビジョン受像機２０にあっては、ユーザがその専用端子７０に同軸ケーブル６０を接続するだけで即座にテレビジョン受像機２０を使用することができるようになる。
【００２４】
図４はさらに他の実施形態に係る可搬型テレビジョン受像機の信号線接続システムを示している。この実施形態では、アンテナ、電話及びＬＡＮの３種類の信号を重畳させる１本の同軸ケーブル６０が住宅の居住区に導入されていて、その同軸ケーブル６０に、重畳された３種類の上記信号を分離して出力する機能を備えた引込み側コネクタ要素６１が装備されているのに対し、テレビジョン受像機２０に上記引込み側コネクタ要素６１に着脱される機器側コネクタ要素６５が具備されている。
【００２５】
図４を参照して説明した信号線接続システムにおいて、居住区に設置されている同軸ケーブル６０は、その居住区に常時設置されていることが基本である。したがって、複数の居住区に同軸ケーブル６０を設置しておくと、いずれかの居住区に持ち運んだテレビジョン受像機２０にあっては、ユーザがその機器側コネクタ６５を同軸ケーブル６０の引込み側コネクタ要素６１に接続するだけで即座にテレビジョン受像機２０を使用することができるようになる。
【図面の簡単な説明】
【００２６】
【図１】本発明に係る可搬型テレビジョン受像機の信号線接続システムの使用例を示した説明図である。
【図２】図１の一部を拡大して示した説明図である。
【図３】他の実施形態に係る可搬型テレビジョン受像機の信号線接続システムの説明図である。
【図４】さらに他の実施形態に係る可搬型テレビジョン受像機の信号線接続システムの説明図である。
【図５】従来例の説明図である。
【符号の説明】
【００２７】
Ｒ１，Ｒ２，Ｒ３，Ｒ４  住宅の居住区
１０  信号線ボックス
１５，１６，１７  ３種類の引込み側接続端子
２０  可搬型テレビジョン受像機
２１，２２，２３  ３種類の機器側接続端子
３１，３２，３３  ３種類の線路
４０  ケーブル
４１  引込み側ケーブル
４５  機器側ケーブル
５０  コネクタ
５１  一方側コネクタ要素
５５  他方側コネクタ要素
６０  同軸ケーブル
６１  引込み側コネクタ要素
６５  機器側コネクタ要素
７０  専用端子
７１  分離回路
【図１】
2009005034.tif 000003
【図２】
2009005034.tif 000004
【図３】
2009005034.tif 000005
【図４】
2009005034.tif 000006
【図５】
2009005034.tif 000007